(57)【要約】反射型ＬＣＤイメージャユニットを用いるＬＣＤ投影システムは一般に、１つ以上のそれぞれのイメージャによって反射される光からイメージャ上に入射される光を分離するために、１つ以上の偏光ビームスプリッタを用いる。屈折率整合層および光学接着剤を用いて、偏光ビームスプリッタをカラーコンバイナ上に取付けることができる。
2006514319.tif 000002
【特許請求の範囲】
【請求項１】
カラーコンバイナと、
プリズムを備える偏光ビームスプリッタと、
前記偏光ビームスプリッタの前記プリズムの面上に配置される屈折率整合層と、
前記屈折率整合層と前記カラーコンバイナの面との間に配置され、前記カラーコンバイナ上に前記偏光ビームスプリッタを取付けるための光学接着層と、
を備える光学素子。
【請求項２】
前記光学接着層と前記カラーコンバイナとの間に配置される偏光回転素子および
前記偏光回転素子と前記カラーコンバイナとの間に配置される第２の光学接着層をさらに備える請求項１に記載の光学素子。
【請求項３】
前記偏光回転素子は、２分の１波長遅延板を備える請求項２に記載の光学素子。
【請求項４】
前記光学素子は、前記偏光ビームスプリッタのそれぞれに関連する個別の屈折率整合層および光学接着層を有する少なくとも２つの偏光ビームスプリッタを備え、前記カラーコンバイナの異なる面に各偏光ビームスプリッタを取付ける請求項１に記載の光学素子。
【請求項５】
プリズムを備える第２の偏光ビームスプリッタと、
前記第２の偏光ビームスプリッタの前記プリズムの面上に配置される第２の屈折率整合層と、
前記第２の屈折率整合層と前記カラーコンバイナの第２の面との間に配置され、前記カラーコンバイナ上に前記第２の偏光ビームスプリッタを取付けるための第２の光学接着層と、
プリズムを備える第３の偏光ビームスプリッタと、
前記第３の偏光ビームスプリッタの前記プリズムの面上に配置される第３の屈折率整合層と、
前記第３の屈折率整合層と前記カラーコンバイナの第３の面との間に配置され、前記カラーコンバイナ上に前記第３の偏光ビームスプリッタを取付けるための第３の光学接着層と、
をさらに備える請求項１に記載の光学素子。
【請求項６】
前記第２の光学接着層と前記カラーコンバイナとの間に配置される第１の偏光回転素子と、
前記第１の偏光回転素子と前記カラーコンバイナとの間に配置される第４の光学接着層と、
前記第３の光学接着層と前記カラーコンバイナとの間に配置される第２の偏光回転素子と、
前記第２の偏光回転素子と前記カラーコンバイナとの間に配置される第５の光学接着層と、
をさらに備える請求項５に記載の光学素子。
【請求項７】
前記カラーコンバイナの屈折率がｎ1であり、前記偏光ビームスプリッタの前記プリズムの屈折率がｎ2であり、前記屈折率整合層の屈折率がｎ3であり、ｎ3は（ｎ1*ｎ2）1/2の±４％以内である請求項１に記載の光学素子。
【請求項８】
ｎ3は（ｎ1*ｎ2）1/2の±２％以内である請求項７に記載の光学素子。
【請求項９】
ｎ3は（ｎ1*ｎ2）1/2に等しい請求項８に記載の光学素子。
【請求項１０】
請求項１に記載の光学素子を備える投影システム。
【請求項１１】
偏光ビームスプリッタのプリズムの面上に屈折率整合層を配置するステップと、
前記屈折率整合層と前記カラーコンバイナの面との間の光学接着層によって、カラーコンバイナ上に前記偏光ビームスプリッタを取付けるステップと
を含む光学素子の製造方法。
【請求項１２】
前記偏光回転素子と前記カラーコンバイナとの間の第２の光学接着層を用いて、前記接着層と前記カラーコンバイナとの間に偏光回転素子を取付けるステップをさらに含む請求項１１に記載の方法。
【請求項１３】
前記偏光回転素子が２分の１波長遅延板を備える請求項１２に記載の方法。
【請求項１４】
前記カラーコンバイナ上に少なくとも１つの追加の偏光ビームスプリッタを取付けるために、前記配置ステップおよび前記取付けステップを繰り返すことをさらに含む請求項１１に記載の方法。
【請求項１５】
第２の偏光ビームスプリッタのプリズムの面上に第２の屈折率整合層を配置するステップと、
前記第２の屈折率整合層と前記カラーコンバイナの第２の面との間の第２の光学接着層によって、前記カラーコンバイナ上に前記第２の偏光ビームスプリッタを取付けるステップと、
第３の偏光ビームスプリッタのプリズムの面上に第３の屈折率整合層を配置するステップと、
前記第３の屈折率整合層と前記カラーコンバイナの第３の面との間の第３の光学接着層によって、前記カラーコンバイナ上に前記第３の偏光ビームスプリッタを取付けるステップと、
をさらに含む請求項１１に記載の方法。
【請求項１６】
前記第１の偏光回転素子と前記カラーコンバイナとの間の第４の光学接着層を用いて、前記第２の接着層と前記カラーコンバイナとの間に第１の偏光回転素子を取付けるステップと、
前記第２の偏光回転素子と前記カラーコンバイナとの間の第５の光学接着層を用いて、前記第３の接着層と前記カラーコンバイナとの間に第２の偏光回転素子を取付けるステップと、
をさらに含む請求項１５に記載の方法。
【請求項１７】
前記カラーコンバイナの屈折率がｎ1であり、前記偏光ビームスプリッタの前記プリズムの屈折率がｎ2であり、前記屈折率整合層の屈折率がｎ3であり、ｎ3は（ｎ1*ｎ2）1/2の±４％以内である請求項１１に記載の方法。
【請求項１８】
ｎ3は（ｎ1*ｎ2）1/2の±２％以内である請求項１７に記載の方法。
【請求項１９】
ｎ3は（ｎ1*ｎ2）1/2に等しい請求項１８に記載の方法。
【発明の詳細な説明】
【技術分野】
【０００１】
本発明は一般に情報を表示するためのシステムに関し、さらに詳細には反射型投影システムに関する。
【背景技術】
【０００２】
光学イメージングシステムには一般に、光ビームに画像を載せる光弁または光弁アレイとも呼ばれる透過型イメージャまたは反射型イメージャが含まれる。透過型光弁は一般に、透光性であり、光を通過させることができる。他方、反射型光弁は、入射ビームの選択された部分のみを反射して、画像を形成する。制御回路を反射面の背後に配置することができ、基板材料がその不透明性によって制限されない場合には、より高度な集積回路技術が利用可能であることから、反射型光弁は、重要な利点を提供する。新たに潜在的に廉価かつコンパクトな液晶ディスプレイ（ＬＣＤ）プロジェクタ構成が、反射型液晶マイクロディスプレイの利用によって、イメージャとして可能となりつつある。
【０００３】
多くの反射型ＬＣＤイメージャは、入射光の偏光を回転する。言い換えれば、偏光は、最も暗い状態の場合にはその偏光状態を実質的に偏光することなくイメージャによって反射されるか、またはある程度の偏光回転が所望のグレースケールを提供するために与えられた状態でイメージャによって反射されるかのいずれかである。このようなシステムでは、９０°の回転により最も明るい状態を提供する。したがって、偏光ビームは一般に、反射型ＬＣＤイメージャの場合には入射ビームとして用いられる。望ましいコンパクトな装置は、偏光ビームスプリッタ（ＰＢＳ）とイメージャとの間に折り畳み式光路を含み、照射ビームおよびイメージャから反射される投影画像は、ＰＢＳとイメージャとの間に同一の物理空間を共有する。ＰＢＳは、偏光回転された画像光から入射光を分離する。単色画像またはカラー画像を形成するために、１台のイメージャを用いてもよい。複数のイメージャは一般に、カラー画像を形成するために用いられ、照射光が異なる色からなる複数のビームに分割される。画像はビームのそれぞれに個別に載せられ、次にフルカラー画像を形成するために再結合される。
【０００４】
光源によって生成されたできる限り多くの光を用いることが望ましい。特に、光の望ましくない反射を低減する、コスト効率がよく製造可能な構成を考慮することが有用である。
【発明の開示】
【発明が解決しようとする課題】
【０００５】
一般に、本発明は、投影システム用の光学素子またはコア、および光学素子またはコアを備える投影システムに関する。さらに、本発明は、光学素子またはコアおよび投影システムの製造および使用に関する。
【課題を解決するための手段】
【０００６】
一実施形態は、カラーコンバイナと、プリズムを有する偏光ビームスプリッタと、偏光ビームスプリッタのプリズムの面に配置される屈折率整合層と、カラーコンバイナ上に偏光ビームスプリッタを取付けるために屈折率整合層とカラーコンバイナの面との間に配置される光学接着層と、を備える光学素子である。光学素子は、２つまたは３つ（またはそれ以上の）偏光ビームスプリッタを備えるようにしてもよく、それぞれが光学接着層および屈折率整合層を用いてプリズムの異なる面上に個別に取付けられる。さらに、偏光回転素子とカラーコンバイナとの間の第２の光学接着層を用いて、１つ以上の偏光ビームスプリッタのそれぞれとカラーコンバイナとの間に２分の１波長遅延板などの偏光回転素子を必要に応じて取付けることができる。
【０００７】
一般に、カラーコンバイナの屈折率がｎ1であり、偏光ビームスプリッタのプリズムの屈折率がｎ2であるとき、屈折率整合層の屈折率はｎ3であり、ｎ3は（ｎ1*ｎ2）1/2（すなわち、ｎ1とｎ2の積の平方根）の±５％以内であることが好ましい。一部の実施形態において、ｎ3は（ｎ1*ｎ2）1/2の±４％以内または±２％以内であり、ｎ3は場合によっては（ｎ1*ｎ2）1/2に等しい場合がある。
【０００８】
他の実施形態には、上述の光学素子を備える投影システムが挙げられる。
【０００９】
さらに別の実施形態は、光学素子の製造方法である。この方法は、偏光ビームスプリッタのプリズムの面上に屈折率整合層を配置するステップを含む。偏光ビームスプリッタは、屈折率整合層とカラーコンバイナの面との間の光学接着層によって、カラーコンバイナ上に取付けられる。この方法は、カラーコンバイナの異なる面上に、２つ、３つまたはそれ以上の偏光ビームスプリッタを取付けるためにも用いることができる。必要に応じて、偏光回転素子とカラーコンバイナとの間の第２の光学接着層を用いて、１つ以上の偏光ビームスプリッタのそれぞれとカラーコンバイナとの間に、１つまたは複数の偏光回転素子を個別に取付けることができる。
【００１０】
本発明は、添付図面と共に、本発明の種々の実施形態に関する以下の詳細な説明を検討すれば、より完全に理解されると思われる。
【００１１】
本発明は種々の修正および代替の態様に適用可能であるが、その仕様が図に一例として示され、詳細に説明される。しかし、記載された特定の実施形態に本発明を限定するわけではないことを理解すべきである。逆に言えば、添付請求項によって定義されるように、本発明の精神および範囲に包含されるすべての修正物、代替物および変形物を網羅するものとする。
【発明を実施するための最良の形態】
【００１２】
本発明は、投影システムおよびそのようなシステム用の光学素子またはコアに適用可能である。「投影システム」なる語は、本明細書で用いられるとき、ビューアが見るための画像を生成するさまざまな光学系を含むことを意味しており、たとえば、前方投影システムおよび後方投影システム、投影ディスプレイ、ヘッドマウントディスプレイ、バーチャルビューア、ヘッドアップディスプレイ、光演算システム、光相関システムおよび他の光学観察システムおよびディスプレイシステムに用いることができる。
【００１３】
マルチイメージャ投影システム１６００の実施形態が、図１に概略的に示されている。光１６０２が、光源１６０４から放射される。光源１６０４は、アークランプ、またはフィラメントランプまたは画像を投影するのに適した光を生成するための任意の他の適切な光源であってもよい。光源１６０４は、投影エンジンに向かって指向される光の量を増大させるために、楕円反射体（図示されている）、放物面反射体などの反射体１６０６によって包囲されてもよい。
【００１４】
光１６０２は一般に、異なる色帯に分割される前に処理される。たとえば、光１６０２は、所望の偏光の光のみが投影エンジンに向かって指向されるように、オプションの前置偏光子１６０８を通過してもよい。前置偏光子は反射偏光子の形とするのも任意であり、望ましくない偏光状態の反射光が、再循環のために光源１６０４に向きを変えて指向されるようになっている。光１６０２はまた、投影エンジンにおけるイメージャが均一に照射されるように、均質化されてもよい。光１６０２を均質化するための１つの手法は、光１６０２を反射トンネル１６１０の中を通過させることであるが、光を均質化するための他の手法を用いてもよいことを十分に理解されたい。
【００１５】
図に示された実施形態において、均質化された光１６１２は、発散角を低減するために、第１のレンズ１６１４を通過する。次に、光１６１２が、たとえば、誘電体薄膜フィルタであってもよい第１の色分離器１６１６に入射される。第１の色分離器１６１６は、第１の色帯の光１６１８と残りの光１６２０を分離する。
【００１６】
第１の偏光ビームスプリッタ（ＰＢＳ）１６２４に入射する第１の色帯の光１６１８の発散を制御するために、第１の色帯の光１６１８を第２のレンズ１６２２およびオプションの第３のレンズ１６２３を通過させてもよい。光１６１８は、第１のＰＢＳ１６２４から第１のイメージャ１６２６へと通過する。イメージャは、ＰＢＳ１６２４を通って、たとえば、図１に示されているようなｘキューブカラーコンバイナ１６３０などのカラーコンバイナへ透過される偏光状態の画像光１６２８を反射する。ＰＢＳ１６２４は、反射された画像光に対する非点収差補償を提供してもよい。イメージャ１６２６は、さらなる偏光回転を与え、画像光におけるコントラストを増大または最大限にするために、遅延素子などの１つ以上の補償素子を備えてもよい。
【００１７】
残りの光１６２０は、第３のレンズ１６３２を通過することができる。第２の色帯の光ビーム１６３６および第３の色帯の光ビーム１６３８を形成するために、残りの光１６２０は、たとえば薄膜フィルタなどの第２の色分離器１６３４に入射する。第２の色帯の光ビーム１６３６は、第２のＰＢＳ１６４２を経て第２のイメージャ１６４０に向けられる。第２のＰＢＳ１６４２は、第２の色帯の光に対して非点収差補償を与えてもよい。第２のイメージャ１６４０は、第２の色帯の画像光１６４４をｘキューブカラーコンバイナ１６３０に向ける。
【００１８】
第３の色帯の光ビーム１６３８は、第３のＰＢＳ１６４８を経て第３のイメージャ１６４６に向けられる。第３のＰＢＳ１６４８は、第３の色帯の光に対して非点収差補償を提供してもよい。第３のイメージャ１６４６は、第３の色帯の画像光１６５０をｘキューブカラーコンバイナ１６３０に向ける。
【００１９】
第１の色帯の画像光１６２８、第２の色帯の画像光１６４４および第３の色帯の画像光１６５０は、ｘキューブカラーコンバイナ１６３０において結合され、投影光学素子１６５２にフルカラー画像ビームとして指向される。ｘキューブカラーコンバイナ１６３０において結合される光の偏光を制御するために、たとえば２分の１波長遅延板などの偏光回転光学素子１６５４が、ＰＢＳ１６２４、１６４２および１６４８とｘキューブカラーコンバイナ１６３０との間に設けられてもよい。図示の実施形態において、偏光回転光学素子１６５４が、ｘキューブカラーコンバイナ１６３０と第１のＰＢＳ１６２４との間、およびｘキューブカラーコンバイナ１６３０と第３のＰＢＳ１６４８との間に配置される。
【００２０】
適切なＰＢＳの一実施例は、米国特許第６，４８６，９９７号明細書で説明されるような広角直交偏光ビームスプリッタ（ＰＢＳ）である。しかし、プリズムを組み込んだ他のＰＢＳを用いることもできる。直交ＰＢＳは、分割ビームの偏光が、不変の一般に直交するＰＢＳフィルムの主軸に関連するＰＢＳである。対照的に、非直交ＰＢＳの場合には、分割ビームの偏光は、ＰＢＳにおけるビームの入射角に実質的に左右される。米国特許出願第０９／８７８，５５９号明細書および米国特許出願第１０／１５９，６９４号明細書に記載されるように、ＰＢＳはまた、非点収差補正を行うために、傾斜板または高屈折率層などの素子を組み込むことができる。米国特許出願第０９／８７８，５５９号明細書および米国特許出願第１０／１５９，６９４号明細書はまた、以下に述べるように、光学接着層および屈折率整合層を備えるように、本発明によって修正して、ｘキューブカラーコンバイナ上にＰＢＳを取付けることができる種々のイメージャシステム構成について記載している。
【００２１】
直交ＰＢＳの実施例は、多層反射偏光ビームスプリッタ（ＭＲＰＢ）フィルムであり、等方性材料および複屈折材料の交互の層から形成されている。フィルムの平面はｘ−ｙ平面と見なされ、フィルムの厚さがｚ方向で測定される場合には、ｚ屈折率は、ｚ方向に平行な電気ベクトルを有する光に関する複屈折材料中の屈折率である。同様にｘ屈折率はｘ方向に平行な電気ベクトルを有する光に関する複屈折材料中の屈折率であり、ｙ屈折率はｙ方向に平行な電気ベクトルを有する光に関する複屈折材料中の屈折率である。複屈折材料のｘ屈折率は等方性材料の屈折率と実質的に同一であるのに対し、複屈折材料のｙ屈折率は等方性材料の屈折率とは異なる。層厚が正確に選択される場合には、フィルムはｙ方向に偏光される可視光を反射し、ｘ方向に偏光される光を透過する。
【００２２】
ＭＲＰＢフィルムの一例は、整合ｚ屈折率偏光子（ＭＺＩＰ）フィルムであり、複屈折材料のｚ屈折率が当該複屈折材料のｘ屈折率またはｙ屈折率のいずれかと実質的に同一である。ＭＺＩＰフィルムは、米国特許第５，８８２，７７４号明細書および米国特許第５，９６２，１１４号明細書に記載されている。ＭＺＩＰフィルムの改良型は、耐久期間が増大し、米国特許出願第０９／８７８，５７５号明細書に記載されているような交互の層としてＰＥＴ／ＣＯＰＥＴ−ＰＣＴＧを用いる。
【００２３】
上述したように、直交ＰＢＳの一実施形態は、プリズムの間に入れられたＭＺＩＰフィルムなどのＭＲＰＢフィルムである。高強度光ビームによって生じた熱によって誘発される応力から生じる複屈折を低減または最小限に抑えるために、プリズムは、低応力光学係数の材料から製造されることが好ましい。この目的に最も適した材料の１つは、ＳＦ５７（ドイツのマインツにあるショット・ガラス・テクノロージーズ（Ｓｃｈｏｔｔ  Ｇｌａｓｓ  Ｔｅｃｈｎｏｌｏｇｉｅｓ（Ｍａｉｎｚ，Ｇｅｒｍａｎｙ）））、ＰＢＨ５５（日本の神奈川県にあるオハラ・コーポレーション（Ｏｈａｒａ  Ｃｏｒｐｏｒａｔｉｏｎ））、またはＰＢＨ５６（オハラ・コーポレーション（Ｏｈａｒａ  Ｃｏｒｐｏｒａｔｉｏｎ））の商品名で市場に出ているガラスである。これらのガラスの屈折率は約１．８５である。
【００２４】
この低屈折率ガラスが用いられるとき、ＭＲＰＢフィルムの屈折率は一般に周囲のプリズムの屈折率より低い。たとえば、ＭＺＩＰフィルムの屈折率は約１．５６であり、その厚さは一般に約１２５μｍである。ＰＢＳを組み立てるときに、ＭＲＰＢフィルムは、フィルムの各面に整合屈折率が約１．５６で厚さが約２５μｍの接着剤を用いて、プリズム面に接着される。ＭＲＰＢフィルムと共に用いるための接着剤として特に適した１つのタイプは、ノーランド・コーポレーション（Ｎｏｒｌａｎｄ  Ｃｏｒｐｏｒａｔｉｏｎ）によって製造されている「ノーランド６１（Ｎｏｒｌａｎｄ  ６１）」であることが分かっている。ＰＢＳフィルムおよび接着剤は併せて、屈折率が約１．５６で厚さが２２５μｍで光の伝播方向に対して約４５°の角度をなしている傾斜板を形成する。比較的高めの屈折率のプリズムの中にあるこの比較的低い屈折率の板は、画像光に非点収差を持ち込む。非点収差は、イメージャによって反射された光の場合には問題となる。非点収差を低減するための構造は、ＭＺＩＰフィルムとプリズムの１つとの間に高屈折率材料の傾斜平面（たとえば、ガラス・スラブ）を導入することを含み、たとえば米国特許出願第０９／８７８，５５９号明細書および米国特許出願第１０／１５９，６９４号明細書に記載される。
【００２５】
ｘキューブカラーコンバイナ１６３０、ＰＢＳ１６２４、１６４２および１６４８および偏光回転光学素子１６５４の取付けを示すために、光学素子またはコア１００が図２に概略的に示されている。特に、ＰＢＳ１６４２は、光学接着剤の層１６６０およびＰＢＳ１６４２の面１６６４上に配置される屈折率整合層１６６２を用いて、ｘキューブカラーコンバイナ１６３０上に取付けられる。ＰＢＳ１６２４および１６４８は、それぞれのＰＢＳの面１６７４上に配置された屈折率整合層１６７２、第１の光学接着層１６７０および第２の光学接着層１６７６を用いて、第１の光学接着層と第２の光学接着層との間に配置された偏光回転光学素子１６５４によってｘキューブカラーコンバイナ１６３０上に取付けられる。光学接着層１６６０、１６７０および１６７６は、同一の光学接着剤または異なる光学接着剤を用いることができる。偏光回転光学素子が特定のＰＢＳとカラーコンバイナとの間に配置されるかどうかは一般に、所望の光路およびその光路に沿った光の偏光によって決定される。
【００２６】
この構成は、材料間の境界で反射率を低減するために設けられる。特に、ｘキューブカラーコンバイナ１６３０の材料（たとえば、ＢＫ７またはＢ２７０ガラスなどのガラス）の屈折率はｎ1であり、それぞれのＰＢＳ１６２４、１６４２または１６４８のプリズム１６９０、１６９２を形成する材料（たとえば、ガラス）の屈折率はｎ2である。これらの２つの屈折率は、実質的に異なってもよい（たとえば、｜ｎ1−ｎ2｜＞０．２）。一般に、差が大きければ大きいほど、境界における潜在的な反射率が大きくなる。一般に、光学接着層１６６０、１６７０および１６７６の屈折率が、ｎ1として実質的に同一であるように選択される。一般に、光学接着層の屈折率とｎ1との差は０．１以下であり、一般に０．０４以下である。さらに、偏光回転光学素子１６５４（たとえば、２分の１波長板）は一般に、ｎ1と実質的に同一の屈折率を有するように選択される（たとえば、偏光回転光学素子の屈折率とｎ1との差は０．１以下であり、好ましくは０．０４以下である）。
【００２７】
屈折率整合層１６６２、１６７２は、それぞれのＰＢＳ上に配置され、屈折率ｎ3を有するように選択され、ｎ3≒（ｎ1*ｎ2）1/2である。理想的には、ｎ3は、式の右側の値に等しい。しかし、一般に、この理想値からのある程度の変動は許容可能である。その理由は、素子の特性の変化がこのような変動に関して許容され得るからである。変動量は、用途に左右される可能性があるが、一般に、ｎ3と（ｎ1＊ｎ2）1/2との差は±５％であり、ｎ3は通常±４％以内であり、±２％以内である場合もある。具体的な一実施例において、ｘキューブカラーコンバイナの屈折率は１．５２であり、ＰＢＳのガラスプリズムの屈折率は１．８５であり、屈折率整合層の屈折率は１．６〜１．７６の範囲であり、１．６２〜１．７４であれば好ましく、１．６５〜１．７であればさらに好ましい。この実施例に用いられる光学接着剤の屈折率は１．５６であり、２分の１波長板の屈折率は約１．６である。
【００２８】
屈折率整合層は、所定の波長範囲にわたって（一般に可視スペクトルの範囲、または少なくとも特定のＰＢＳに向けられたスペクトルのたとえば赤色部分、緑色部分または青色部分のスペクトルの一部にわたって）、必要な屈折率を有し、実質的に透過性（少なくとも９５％透過率、少なくとも９８％透過率であれば好ましい）である任意の材料を用いて製造されることができる。屈折率整合層は一般に、ＰＢＳの適切な面上に形成される。屈折率整合層の製造は、たとえば、蒸着、スパッタリング、イオンメッキ、イオンアシスト蒸着などの技術によって行われることができる。
【００２９】
一実施形態において、ＰＢＳ１６２４、１６４２および１６４８の面１６８２は、反射防止層によって覆われる。反射防止層に用いられる種々の材料およびプリズム面上に反射防止層を配置する方法は公知であり、通常使用可能である。光は、スクリーン上に表示するための投影システムによって誘導され、一般にＰＢＳ１６２４、１６４２および１６４８の面１６８０に向かって、または面１６８０から離れるように指向されるというものではない。これらの面１６８０は、反射防止コーティング仕上げ（たとえば、透明にする）または反射防止コーティングによって覆われる必要がない場合もある。たとえば、面１６８０は、研磨されたガラス面であってもよい。これは、ＰＢＳのコストを削減するほか、コア１００の組立中にプリズム１６９２からプリズム１６９０を区別することが容易となりうる。１６９０はプリズムの面上に配置される屈折率整合層１６６２または１６７２を含むため、２つのプリズム１６９０、１６９２を識別することができることが重要である。
【００３０】
本発明は、上述の特定の実施例に限定されるものと考えるべきではなく、添付請求項に完全に記載されているように、本発明のすべての態様を網羅するものと考えるべきである。種々の修正、等価な処理のほか、本発明が適用可能な種々の構造は、本願明細書を検討すれば、本発明に関連する当業者には容易に明白となるであろう。請求項は、そのような修正および素子を網羅するものとする。
【図面の簡単な説明】
【００３１】
【図１】本発明の実施形態による投影システムを概略的に示している。
【図２】本発明の実施形態による図１の投影システムの光学素子を概略的に示している。
【図１】
2006514319.tif 000003
【図２】
2006514319.tif 000004
【国際調査報告】
2006514319.tif 000005
2006514319.tif 000006